(57)【要約】  【課題】  薬液等の塗布を手を汚すことなく簡単にかつ衛生的に行うことができ、漏れや乾燥等によって使用不可能となることがない塗布具を提供することである。  【解決手段】    軸体１２の端部に塗布液含浸部１３を設けた塗布液含浸綿棒２０と、前記塗布液含浸部１３を収容する凹部２１、およびこの凹部２１から連続し塗布液含浸部１３に隣接する軸体１２を収容する溝部２３が形成されたカップ部材１４と、このカップ部材１４の開口面上に配置して凹部２１内を密封する被覆フィルム１５とを備え、前記軸体１２が収容された溝部２３の少なくとも一部に前記凹部２１内を密封するためのシール材が充填されている。【選択図】    図１
2007319535.tif 000002
【特許請求の範囲】
【請求項１】
軸体の端部に塗布液含浸部を設けた塗布液含浸綿棒と、前記塗布液含浸部を収容する凹部、およびこの凹部から連続し塗布液含浸部に隣接する軸体を収容する溝部が形成されたカップ部材と、このカップ部材の開口面上に配置して凹部内を密封する被覆フィルムとを備え、
前記軸体が収容された溝部の少なくとも一部に前記凹部内を密封するためのシール材が充填されている、ことを特徴とする塗布具。
【請求項２】
前記軸体には、この軸体の軸方向と直交する方向に突設する突起部が設けられ、前記溝部には、前記突起部を収容する突起収容部が設けられている請求項１記載の塗布具。
【請求項３】
前記突起部は、突起収容部内に収容されたときにカップ部材の開口面より上面に突出しない形状である請求項２記載の塗布具。
【請求項４】
前記シール材が前記突起収容部に充填されている請求項２または３記載の塗布具。
【請求項５】
前記シール材が接着剤である請求項１〜４のいずれかに記載の塗布具。
【請求項６】
前記カップ部材の外にある前記軸体につまみ部が設けられている請求項１〜５のいずれかに記載の塗布具。
【請求項７】
前記溝部は前記凹部からその外縁に向かって上向きに傾くように形成されている請求項１〜６のいずれかに記載の塗布具。
【発明の詳細な説明】
【技術分野】
【０００１】
本発明は、消毒、殺菌、治療といった医療用、化粧用、機械部品または電子部品の清掃用等の種々の薬液を塗布するための塗布具に関する。
【背景技術】
【０００２】
従来より、軸体の一端に脱脂綿を巻き付け、これに消毒剤等の薬液を含浸させて、外傷部や咽喉などの患部に塗布することが行われている。しかし、脱脂綿の巻き付けや、これに上記のような薬液を含浸させる作業は煩雑であるため、事前に軸体の一端に脱脂綿等の繊維集合体を取り付け、これに薬液を含浸させたものを非通気性フィルムにて一本ずつ密封包装することが提案されている。この塗布具を使用すると、包装を解いて、軸体を指でつまんで、そのまま患部に薬液を塗布することができる。
【０００３】
しかし、このような塗布具は、製造後の保管や輸送中に外部から圧力が加わったり、温度変化等により、繊維集合体から薬液が染み出しやすいという問題がある。このため、染み出した薬液が軸体の表面に付着し、軸体を取り出す際に手を汚すおそれがあった。
このような問題を解決するために、塗布液含浸部のみを密封包装することが提案されている（例えば、下記特許文献１，２参照）。
【０００４】
しかし、これら従来の密封方法では、包装体から突出している軸体の周囲を完全にシールすることが難しく、塗布液含浸部のみの包装では気密性を長期間にわたって維持するのは困難であった。気密性が維持できないと、軸体を伝って薬液が外部に漏れだすおそれがあり、また、薬液が蒸発して塗布液含浸部が乾燥してしまう結果、塗布具として使用不可能となることもある。さらに、医療用など滅菌性等が重要視される用途では、包装体を開封して塗布液含浸部を取り出すときに、この塗布液含浸部が包装体の表面や端部などに接触して汚染されないことが求められる。しかし、前述した従来の密封方法では、包装体から塗布液含浸部を取り出す際に包装体の表面等に接触することが少なからずあった。
【０００５】
【特許文献１】特開平１１−４７１９１号公報
【特許文献２】特開２０００−２３７２３５号公報
【発明の開示】
【発明が解決しようとする課題】
【０００６】
そこで、本発明の課題は、薬液等の塗布を手を汚すことなく簡単にかつ衛生的に行うことができ、漏れや乾燥等によって使用不可能となることがない塗布具を提供することである。
【課題を解決するための手段】
【０００７】
上記課題を解決するため、本発明は以下の構成からなる。すなわち、
（１）軸体の端部に塗布液含浸部を設けた塗布液含浸綿棒と、前記塗布液含浸部を収容する凹部、およびこの凹部から連続し塗布液含浸部に隣接する軸体を収容する溝部が形成されたカップ部材と、このカップ部材の開口面上に配置して凹部内を密封する被覆フィルムとを備え、前記軸体が収容された溝部の少なくとも一部に前記凹部内を密封するためのシール材が充填されている、ことを特徴とする塗布具。
（２）前記軸体には、この軸体の軸方向と直交する方向に突設する突起部が設けられ、前記溝部には、前記突起部を収容する突起収容部が設けられている前記（１）記載の塗布具。
（３）前記突起部は、突起収容部内に収容されたときにカップ部材の開口面より上面に突出しない形状である前記（２）の塗布具。
（４）前記シール材が前記突起収容部に充填されている前記（２）または前記（３）記載の塗布具。
（５）前記シール材が接着剤である前記（１）〜（４）のいずれかに記載の塗布具。
（６）前記カップ部材の外にある前記軸体につまみ部が設けられている前記（１）〜（５）のいずれかに記載の塗布具。
（７）前記溝部は前記凹部からその外縁に向かって上向きに傾くように形成されている前記（１）〜（６）のいずれかに記載の塗布具。
【発明の効果】
【０００８】
本発明によれば、被覆フィルムおよびシール材によって綿棒の塗布液含浸部を密封できるので、軸体を伝って薬液が外部に漏れだしたり、含浸された塗布液が蒸発して乾燥したりすることがなく、したがって、例えば長期間高温下で保管した場合であっても漏れや乾燥等によって使用不可能となることがない、という効果がある。また、綿棒の使用時には、カップ部材から被覆フィルムを剥離し、カップ部材から綿棒を取り出す、という２工程からなる簡単な操作によって、塗布液等により手を汚すことなく綿棒を取り出すことができ、しかも、塗布液含浸部が被覆フィルムの表面や端部に接触することなく綿棒を取り出すことができるので、塗布液含浸部が汚染されるのを防いで衛生的に使用することができる、という効果もある。
【発明を実施するための最良の形態】
【０００９】
本発明の一実施形態にかかる塗布具を図１〜図３に基づいて説明する（以下、この図１〜図３に示す実施形態を「本実施形態」と称する）。図１は本発明にかかる塗布具の一実施形態を示す分解斜視図であり、図２はその側面図であり、図３は、図２のＸ−Ｘ線断面およびＹ−Ｙ線断面を各々示した模式図である。
【００１０】
塗布具１１は、軸体１２の端部に塗布液含浸部１３を設けた塗布液含浸綿棒２０と、前記塗布液含浸部１３を収容するカップ部材１４と、このカップ部材１４を密封するための被覆フィルム１５とからなる。
【００１１】
カップ部材１４には、塗布液含浸部１３を収容する凹部２１と、この凹部２１から連続し塗布液含浸部１３に隣接する軸体１２を収容する溝部２３とが形成されている。このようなカップ部材１４は、通常、プラスチック素材を成形して作製することができるが、これに限定されるものではない。
【００１２】
前記凹部２１の形状は、塗布液含浸部１３を完全に収容できるような形状であればよく、特に限定されるものではないが、本実施形態においては、図１に示すように、凹部２１の開口部周囲に鍔部２２を備えている。これにより、被覆フィルム１５の接合面が大きくなって接合が容易になり、気密性の維持がより確実になる。
【００１３】
前記溝部２３は、軸体１２を完全に収容することのできる形状であればよい。詳しくは、軸体１２が収容されたときに軸体１２がカップ部材１４（溝部２３）の開口面より上面に突出しないこと（好ましくは、軸体１２が収容された状態においてカップ部材１４（溝部２３）の開口面と軸体１２上面とが略同一面にあること）を実現しうる形状であればよい。
【００１４】
本実施形態においては、前記軸体１２には、この軸体１２の軸方向と直交する方向に突設する突起部１２ａが設けられ、前記溝部２３には、前記突起部１２ａを収容する突起収容部２３ａが設けられている。これにより、カップ部材１４に対する綿棒２０の位置決めを行なうことができ、例えば製造時にカップ部材１４から綿棒２０が抜け落ちたり、塗布液含浸部１３が凹部２１の内面に接触したりする等の不都合を回避することができる。突起部１２ａと突起収容部２３ａを設ける場合、前記突起部１２ａは、突起収容部２３ａ内に収容されたときにカップ部材１４の開口面より上面に突出しない形状であることが好ましい。より好ましくは、突起部１２ａを突起収容部２３ａに収容した状態で突起部１２ａの上面がカップ部材１４の開口面と略同一面となるような形状であるのがよい。
【００１５】
本実施形態においては、前記溝部２３は、図２に示すように、前記凹部２１からその外縁に向かって上向きに傾くように形成されている。これにより、塗布液含浸部１３はカップ材１４の凹部２１に先をやや下向きにして収容されることになるので、開封して綿棒２０を取り出すときに、この塗布液含浸部１３がカップ部材１４や被覆フィルム１５の表面や端部などに接触しにくくなり、より確実に汚染を防止することができる。
【００１６】
前記軸体１２が収容された溝部２３の少なくとも一部には、前記凹部２１内を密封するためのシール材（不図示）が充填されている。このシール材により、カップ部材１４から突出する軸体１２の周囲は完全にシールされ、さらにカップ部材１４の上部は被覆フィルム１５で覆われるので、本発明においては凹部２１内を確実に密封することが可能となるのである。つまり、従来のように、突出する棒状の軸体をシート状である熱融着性フィルム等で挟み熱融着させるようにした場合、軸体の周囲に僅かな隙間が生じることになるが、本発明のように軸体１２を溝部２３に収容し、かつ、前述のシール材によって、軸体１２と溝部２３の少なくとも一部との隙間および軸体１２と被覆フィルム１５の少なくとも一部との隙間を閉塞しておくことにより、高い気密性を実現することができるのである。
本実施形態においては、前記シール材として接着剤が使用されており、軸体１２と溝部２３とが接合されている。なお、本実施形態はシール材として接着剤を使用したものであるが、シール材としては、気密性を付与しうる材料であればよく、例えば、接着剤、粘着剤、各種天然樹脂または合成樹脂等を採用することができる。中でも、接着剤が、軸体１２を固定する働きをもなす点で好ましく、特にホットメルト接着剤がより好ましい。ホットメルト接着剤としては、具体的には、ＥＶＡ系樹脂、ポリアミド系樹脂、ポリエステル系樹脂等を主成分とするものが挙げられる。
【００１７】
軸体１２には突起部１２ａが、溝部２３には突起収容部２３ａが設けられている本実施形態においては、前記シール材が前記突起収容部２３ａに充填されている形態、すなわち突起部１２ａと突起収容部２３ａとの隙間がシール材（不図示）で閉塞されている形態がよい。前述した突起部１２ａと突起収容部２３ａとが設けられた形態においては、突起部１２ａ以外の軸体１２と突起収容部２３ａ以外の溝部２３との断面は図３（ａ）に示すようになっており、他方、突起部１２ａと突起収容部２３ａとの断面は図３（ｂ）に示すようになっている。ここで、シール材は、図３（ａ）に示す断面（突起部１２ａ以外の軸体１２と突起収容部２３ａ以外の溝部２３との隙間）には存在せず、図３（ｂ）に示す断面における突起部１２ａと突起収容部２３ａとの隙間（突起部１２ａの下側と突起収容部２３ａの上側との間）に存在する（但し、シール材は図示せず）。なお、シール材が突起部１２ａ以外の軸体１２と突起収容部２３ａ以外の溝部２３との隙間に存在していても、本発明の効果を損なうものではない。
【００１８】
被覆フィルム１５は、前記カップ部材１４の開口面上に配置され、カップ材１４の外縁と接合されることにより凹部２１内を密封している。本実施形態においては、前述した鍔部２２がカップ材１４の外縁となる。
【００１９】
本実施形態において、被覆フィルム１５は、アルミニウム箔等の金属箔にポリエチレンフィルム等の熱融着性フィルムをラミネートしたものである。被覆フィルム１５としては、このような非通気性フィルムが好ましい。非通気性フィルムとしては、塗布液の揮散を長期にわたって防止しうるものであれば使用可能であり、本実施形態のものに制限はされない。
【００２０】
被覆フィルム１５のカップ材１４への接合には、熱融着性フィルムである被覆フィルム１５の周縁を加熱加圧して熱融着させる方法を採用することができる。なお、被覆フィルム１５が熱融着性を有さないフィルムであれば、鍔部２２に接着剤や粘着剤を塗布してシールする方法を採用すればよい。いずれの場合も、被覆フィルム１５とカップ材１４の外縁との接合部分は、強く引っ張ると開封可能な程度にシールされているのが好ましい。
【００２１】
なお、被覆フィルム１５の接合に際しては、密封性を損なわない範囲で、図１に示すように、被覆フィルム１５の一部１５ａ（好ましくは角部）を敢えてカップ部材１４の鍔部２２に接合しない状態にしておいてもよい。これにより、塗布具１１を開封する際に該一部１５ａをつかんで被覆フィルム１５を容易に剥がすことができるようになる。
【００２２】
本実施形態においては、軸体１２としてプラスチック軸が用いられる。この場合、前記カップ部材１４の外にある前記軸体１２（つまり、軸体１２の持ち手側）に該軸体１２をねじるためのつまみ部１２ｂが設けられていることが好ましい。このつまみ部１２ｂを持ち、軸体１２をねじって回転させることにより、溝部２３に接着された綿棒２０を容易に取り出すことができる。
なお、軸体１２は、プラスチック軸に限定されるものではなく、例えば、紙軸、木軸、金属軸等も使用可能である。軸体１２の太さ（外径）は特に限定されず、使用時に折れない程度の強度を有し、かつ使用時に持ちやすい太さであるのがよい。また、軸体１２の長さも特に限定されるものではなく、使いやすい長さに任意に設定することができる。
【００２３】
塗布液含浸部１３としては、塗布液を含浸できかつ塗布しうるものであれば使用可能であり、例えばプラスチック発泡体、繊維集合体が挙げられ、さらに不織布や織布（例えばガーゼ）を軸体１２に巻き付けたものであってもよい。繊維集合体としては、種々の天然繊維（綿、絹、羊毛等）、再生繊維（レーヨン、キュブラ等）または合成繊維（ポリエステル繊維、ポリプロピレン繊維等）が挙げられるが、特に脱脂綿等の綿繊維が好適に使用される。これらの繊維は略球形ないし楕円形の塊状に形成され、必要に応じて接着剤にて軸体１２に止着されている。
塗布液含浸部１３の太さ（外径）および長さは特に限定されず、必要量の塗布液を十分に含浸できる大きさであればよい。
【００２４】
塗布具１１を開封するには、被覆フィルム１５を剥がした後、例えば、軸体１２を摘んで上下方向に軽く動かすか、前記つまみ部１２ｂを持ち、軸体１２をねじって回転させることにより、綿棒２０を溝部２３から取り出すようにすればよい。
【００２５】
塗布液含浸部１３に含浸される塗布液としては、用途や使用目的に応じて適宜選択され、例えば医療用薬液、化粧液または機械部品、電子部品等を清掃するための清掃液等の薬液が挙げられ、さらに身体や衣類等の汚れを落とすための有機溶剤や水等の洗浄液であってもよい。
【００２６】
医療用薬液としては、消毒、殺菌又は治療を目的とした薬液が挙げられ、例えばアクリノール、塩酸アルキルジアミンエチルグリシン、エタノール、過酸化水素、グルタラール、クレゾール、グルコン酸クロルヘキシジン、次亜塩素酸ナトリウム、塩化ベンザルコニウム、塩化ベンゼトニウム、ポピドンヨード、マーキュロクロム、ヨードチンキなどの消毒薬が挙げられる。これらの薬剤は液体である限りそのまま塗布液含浸部１３に含浸させてもよく、あるいは水等の溶剤に溶解させて塗布液含浸部１３に含浸させてもよい。
【００２７】
化粧液としては、例えばアロエエキス、コラーゲン、ローション、ベビーオイル、ベビーローション、ヨモギエキス、ヘチマエキスおよび米糖エキス等の植物抽出エキスや各種香料等が挙げられる。また、その他にも除光液やクレンジング液などを使用してもよい。これらの化粧液は液体である限りそのまま塗布液含浸部１３に含浸させてもよく、あるいは水等に溶解させて塗布液含浸部１３に含浸させてもよい。
【００２８】
上記清掃液としては、例えばアセトン、アルコール等の有機溶剤や、機械用油などが挙げられる。
本実施形態においては、軸体１２の一端に塗布液含浸部１３が形成されているが、軸体１２の両端に塗布液含浸部１３を形成し、両端の塗布液含浸部１３に各々カップ部材１４を設けるようにすることもできる。
【００２９】
本実施形態においては、凹部２１の開口部周囲に鍔部２２が設けられているが、実質的に鍔部２２を有さない形態であってもよい。この形態の場合、被覆フィルム１５の接合面が小さくなるので、例えば、凹部１４の側面もしくは底面をも含めて凹部２１の開口部周囲を被覆フィルム１５でラッピングすればよい。
【００３０】
塗布具１１は、例えば、次のようにして作製することができる。すなわち、まず、軸体１２の端に塗布液含浸部１３を形成して綿棒２０を作製し、その塗布液含浸部１３に所望の塗布液を含浸させる。次いで、カップ部材１４の溝部２３の一部にシール材を充填し、その中に、塗布液含浸部１３に塗布液を含んだ綿棒２０の軸体１２をのせるように、塗布液含浸部１３をカップ部材１４の凹部２１内に収容する。その後、カップ部材１４の凹部２１と溝部２３との両方を塞ぐように被覆フィルム１５を載せてシールすることにより、塗布具１１は得られる。なお、シール材は、カップ部材１４の溝部２３に綿棒２０の軸体１２を収容したのちに、その軸体１２の上から充填するようにしてもよい。
【図面の簡単な説明】
【００３１】
【図１】本発明の一実施形態にかかる塗布具を示す分解斜視図である。
【図２】図１の側面図である。
【図３】（ａ）図２のＸ−Ｘ線断面を示す模式図である。  （ｂ）図２のＹ−Ｙ線断面を示す模式図である。
【符号の説明】
【００３２】
１１    塗布具
１２    軸体
１２ａ  突起部
１２ｂ  つまみ部
１３    塗布液含浸部
１４    カップ部材
１５    被覆フィルム
１５ａ  被覆フィルムの一部
２０    塗布液含浸綿棒
２１    凹部
２２    外縁部
２３    溝部
２３ａ  突起収容部
【図１】
2007319535.tif 000003
【図２】
2007319535.tif 000004
【図３】
2007319535.tif 000005